(57)【要約】      （修正有）【課題】たこ（胼胝腫）の発症の防止と手にかかる負担を軽減させるため、衝撃吸収パッドを人差し指付け根部分に装着し、操作性やコストを含め、実用性を備えた手・指の保護具を提供する。【解決手段】端部が切り離れた部分のはめ込みホルダーを人指し指の付け根部分にはめ込み、刃物やのこぎり、金鎚等などの柄を握った際に、加重が過度にあたる部分に衝撃吸収パッドをあてがうようにした。また、柔軟性や耐水性、耐熱性があり、握りやすく手を動かしやすいように、人差し指から親指、さらに、手の平上部の手の形状に合わせるように全体の形をＬ字型にし、外郭全体を指や手の形状に合わせるように湾曲させた。裏返しにめくり返せば左右どちらでも使用出来るようにし、また、滑り止めが設けられているため握り部分の柄の安定性があるようにし、さらに、衝撃吸収パッドの長さを調整できるように、はさみ等で切り取り調整が出来るように、切り取り線を設けた。【選択図】図２
0003174970.tif 000002
【実用新案登録請求の範囲】
【請求項１】
衝撃吸収パッド部（1）と、第１端部切り離し指はめ込み式ホルダー（３）と、第２端部切り離し指はめ込み式ホルダー（４）と、滑り止め部（２）とからなる手・指の保護具。
【請求項２】
人差し指の第一関節部分からなる衝撃吸収パッド部の長さをはさみ等で切り取り調整できるように、切り取り線を設けた請求項１記載の手・指の保護具。
【請求項３】
前記衝撃吸収パッド部は、柔軟性、耐水性、又は／及び耐熱性を有する請求項１記載の手・指の保護具。
【考案の詳細な説明】
【技術分野】
【０００１】
本発案は、調理、料理等、刃物、のこぎりや、金鎚等などで長時間使用した場合、握り手の人指し指第一関節部分または、人指し指第二関節部分から第三関節下部または、人差し指と親指の間に、力が最大に加重する部分にできる  たこ（胼胝腫）の発症の防止と  手にかかる負担を軽減させるため、衝撃吸収パッドを人差し指付け根部分に装着し、同時に、操作性やコストを含め、実用性も備えた手・指の保護具に関するものである。
【背景技術】
【０００２】
一般家庭の主婦や料理店、仕込み工場などで働く調理人、及び刃物、のこぎりや、金鎚等を長時間使用していた全ての作業をする際、握り手の人指し指の第一関節部分から第三関節部分または人差し指と親指の間にかけて加重が最大にかかった部分に皮膚の角質が部分的に厚く、硬くなって痛みを生じていた。
【考案の概要】
【考案が解決しようとする課題】
【０００３】
イ）これまでの刃物、のこぎりや、金鎚等などの握り手部分で長時間作業した場合、力が加重する部分が痛く感じられた。
ロ）そのため人指し指第一関節部分から、第三関節下部の部分または、人差し指と親指の間に  たこ（胼胝腫）ができる可能性が多かった。
【課題を解決するための手段】
【０００４】
刃物やのこぎり、金鎚等を握った際に一番、力が加重する部分、人指し指第一関節部分から第二関節部分及び、第三関節までの部分に衝撃吸収パッドをあてがい、握った柄の部分が滑らないように、滑り止めを設ける。
【考案の効果】
【０００５】
刃物や、のこぎりや、金鎚等を握り、長時間使用しても  たこ（胼胝腫）が出来にくく、握り手に負担がかからない。また、仕込み工場の調理人や、大工職人、また、一般の主婦や子供などの工作等、手で柄を握って長時間作業する全ての人の手の負担がかからなくなり、また、手の形状に合わせ握りやすくするために、人差し指から親指の間さらに、手のひら上部の部分にかけて全体をＬ字型形状にし、指と手の形状に合わせるため外郭全体を湾曲させた、安全かつ効率よく安価に解決出来る物である。
【図面の簡単な説明】
【０００６】
【図１】図１は本発案に係る防止具を装着前の斜視図である。
【図２】図２は本発案に係る装着図であって手の平側から見た図である。
【図３】図３は本発案に係る装着図であって手の甲側から見た図である。
【図４】図３は本発案に係る使用例であって横から見た図である。
【図５】図４は本発案に係る使用例であって斜め上から見た図である。
【図６】図６は本発案に係る斜視図である。
【図７】図７は本発案に係る斜視図であって反対側にめくる動作を示す図である。
【図８】図８は本発案に係る斜視図であって反対側にめくった状態を示す図である。
【図９】図９は本発案に係る斜視図であってサイズ調整をする時の図である。
【考案を実施するための形態】
【０００７】
装着前（図１）の状態から  衝撃吸収パッド部（1）を手のひら側にし、第１及び第２端部切り離し指はめ込み式ホルダー（３・４）を、人指し指の付け根のところではめ込み、手の甲側の人差し指の第一関節から人差し指の第三関節、さらに、滑り止め部（２）より、人差し指から親指までの手の形状に合わせるように調整する。
装着後（図２・図３）衝撃吸収パッド部（１）を刃物などの握った時に加重が過度にあたる部分にあてがう。
【０００８】
刃物などを握った状態  実施例（図４・図５）で力の加重が一番かかる部分に微調整する。
さらに、利き手が逆の場合は、（図６）から（図７）のように、端部切り離し指はめ込みホルダー（３）と端部切り離し指はめ込み式ホルダー（４）、滑り止め部（２）を反対側方向にめくり返す。反対側にめくり返した実施例（図８）また、(図９)サイズ調整をする時の図の通り、衝撃吸収パッド部（１）が必要な分だけ  はさみ等で衝撃吸収パッド長さ調整切り取り線（５）に沿って切り取り調整する。
【符号の説明】
【０００９】
１    衝撃吸収パッド部
２    滑り止め部
３    第１端部切り離し指はめ込みホルダー
４    第２端部切り離し指はめ込みホルダー
５    衝撃吸収パッド長さ調整切り取り線
【図１】
0003174970.tif 000003
【図２】
0003174970.tif 000004
【図３】
0003174970.tif 000005
【図４】
0003174970.tif 000006
【図５】
0003174970.tif 000007
【図６】
0003174970.tif 000008
【図７】
0003174970.tif 000009
【図８】
0003174970.tif 000010
【図９】
0003174970.tif 000011
【手続補正書】
【提出日】平成24年2月6日(2012.2.6)
【手続補正１】
【補正対象書類名】実用新案登録請求の範囲
【補正対象項目名】全文
【補正方法】変更
【補正の内容】
【実用新案登録請求の範囲】
【請求項１】
人指し指の第１関節から第３間接までの手の平側部分を覆う衝撃吸収パッド部（１）と手の平の上部を覆う滑り止め部（２）とをＬ字型に連結して一体に形成すると共に、人指し指の付け根部分に取り付けるホルダー（３）（４）を前記衝撃吸収パッド部（１）に設けた手・指の保護具。
【請求項２】
衝撃吸収パッド部（１）に、長さ調整用の切り取り線（５）を設けた請求項１記載の手・指の保護具。
【請求項３】
衝撃吸収パッド部（１）は、柔軟性、耐水性、及び耐熱性を有する請求項１記載の手・指の保護具。 
【手続補正２】
【補正対象書類名】明細書
【補正対象項目名】０００７
【補正方法】変更
【補正の内容】
【０００７】
装着前（図１）の状態から  衝撃吸収パッド部（1）を手のひら側にし、衝撃吸収パッド（１）の両側から弧状に延出しその両端部間は切り離されて隙間を有する一対のホルダー（３）（４）を、人指し指の付け根のところではめ込み手の甲側の人差し指の第一関節から人差し指の第三関節、さらに、滑り止め部（２）より、人差し指から親指までの手の形状に合わせるように調整する。
装着後（図２・図３）衝撃吸収パッド部（１）を刃物などの握った時に加重が過度にあたる部分にあてがう。
【手続補正３】
【補正対象書類名】明細書
【補正対象項目名】０００９
【補正方法】変更
【補正の内容】
【０００９】
１    衝撃吸収パッド部
２    滑り止め部
３    ホルダー
４    ホルダー
５    切り取り線